(57)【特許請求の範囲】
【請求項１】
玄関先などに設置されたテレビカメラを備えたカメラ子器と、室内などに設置されたモニタテレビを備えたインターホン親機とを、２線式の音声／映像ラインで接続して構成され、上記インターホン親機は上記カメラ子器で撮影された映像をモニタテレビに映し出すようにしたテレビインターホンシステムに、中継インターホン親機を更に接続して構成されたテレビインターホンシステムであって、
上記中継インターホン親機は、
モニタテレビ、カメラ給電回路、カメラ給電切替手段、映像信号検出分配回路を備え、
上記中継インターホン親機のモニタテレビは、上記音声／映像ラインのインターホン親機側に接続された映像信号検出分配回路と、上記カメラ給電回路とに、映像切替手段を介して切替可能に接続され、かつ
上記カメラ給電切替手段は、上記音声／映像ラインの途中に介在され、上記音声／映像ラインのカメラ子器側を、上記音声／映像ラインのインターホン親機側と、カメラ給電回路に接続された中継インターホン親機側とに切替制御する構成になっており、
上記中継インターホン親機は、
カメラ子器からの呼出を検出して応答するまでの間は、上記中継インターホン親機のモニタテレビを上記映像信号検出分配回路に接続して、上記カメラ子器で撮影された映像を上記中継インターホン親機のモニタテレビに映し出す一方、
カメラ子器からの呼出を検出して応答したときには、上記音声／映像ラインに上記カメラ給電回路を接続し、かつ上記中継インターホン親機のモニタテレビを上記カメラ給電回路に接続して、上記カメラ子器で撮影された映像を上記中継インターホン親機のモニタテレビに映し出すようにしているテレビインターホンシステム。
【請求項２】
請求項１において、
上記インターホン親機は、カメラ子器からの呼出に応答したときに、上記音声／映像ラインに、解放信号を出力させる解放信号送信回路を備え、かつ
上記中継インターホン親機は、上記音声／映像ラインを通じて解放信号を受信する解放信号受信回路を備え、この解放信号受信回路が解放信号を受信したときには、上記カメラ給電切替手段の制御接点を、上記音声／映像ラインのインターホン親機側に切り替える構成にしているテレビインターホンシステム。
【請求項３】
請求項１、２のいずれかにおいて、
上記映像信号検出分配回路は、カメラ子器とインターホン親機との間のインピーダンスよりも高いインピーダンスを有したインピーダンス素子を、モニタテレビに対して並列に接続した構成にしているテレビインターホンシステム。
【請求項４】
請求項３において、
上記映像信号検出分配回路は、上記インピーダンス素子の入力側に不平衡回路を接続しているテレビインターホンシステム。
【請求項５】
請求項１、２のいずれかにおいて、
上記映像信号検出分配回路は、上記音声／映像ライン側にダイオードブリッジを接続しているテレビインターホンシステム。
【請求項６】
請求項２において、
上記解放信号送信回路は、所定の周波数のバースト信号を送出する構成にしているテレビインターホンシステム。
【請求項７】
請求項１〜６のいずれかにおいて、
上記インターホン親機、中継インターホン親機のモニタテレビには、カラー画像が表示される構成にしているテレビインターホンシステム。
【発明の詳細な説明】
【０００１】
【発明の属する技術分野】
本発明は、テレビカメラを備えたカメラ子器と、モニタテレビを備えたインターホン親機とを、２線式の音声／映像ラインで接続して構成されたテレビインターホンシステムに、中継インターホン親機を接続して構成されたテレビインターホンシステムに関する。
【０００２】
【従来の技術】
２線式テレビインターホンシステムの基本構成は、玄関先にカメラ子器を設置し、室内にインターホン親機を設置して、相互に通話／映像ラインで接続して構成されるが、近時は、室内の数か所で来客などと応答通話が出来るようにするためインターホン親機を複数個、増設できるようにしたものが開発されている。
【０００３】
ところが、このようなシステムでは、カメラ子器から通話／映像ラインに送出される映像信号は、映像信号の減衰などを考慮して、インターホン親機においてＦＭ変調されるなどしてから、増設したインターホン親機（副親機）に送出される構成になっている。したがって、親機の回路構成が複雑化し、商品コストを引き上げている。
【０００４】
【発明が解決しようとする課題】
本発明は、このような事情に鑑みて、カメラ子器から呼び出しがあった際には、映像信号をベースバンドのままで、親機以外のモニタテレビを有した別の親機（副親機）でも受信できて、応答通話の出来る構成の簡易なテレビインターホンシステムを提供することを目的としている。
【０００５】
すなわち、カメラ電源を加えた映像信号に、ＦＭ変調された音声信号を重畳させた多重信号を伝送させるテレビインターホンシステムにおいて、映像信号を変調することなく、ベースバンドのままで使用して、カメラ子器からの呼出時に、インターホン親機以外に中継インターホン親機を途中に介在させて映像信号がそのまま表示できるようにする。
【０００６】
【課題を解決するための手段】
このような目的を達成するため、本発明では、玄関先などに設置されたテレビカメラを備えたカメラ子器と、室内などに設置されたモニタテレビを備えたインターホン親機とを、２線式の音声／映像ラインで接続して構成され、上記インターホン親機は上記カメラ子器で撮影された映像をモニタテレビに映し出すようにしたテレビインターホンシステムに、中継インターホン親機を更に接続して構成されたテレビインターホンシステムであって、上記中継インターホン親機は、モニタテレビ、カメラ給電回路、カメラ給電切替手段、映像信号検出分配回路を備え、上記中継インターホン親機のモニタテレビは、上記音声／映像ラインのインターホン親機側に接続された映像信号検出分配回路と、上記カメラ給電回路とに、映像切替手段を介して切替可能に接続され、かつ上記カメラ給電切替手段は、上記音声／映像ラインの途中に介在され、上記音声／映像ラインのカメラ子器側を、上記音声／映像ラインのインターホン親機側と、カメラ給電回路に接続された中継インターホン親機側とに切替制御する構成になっている。
【０００７】
上記構成とした中継インターホン親機を、カメラ子器とインターホン親機との間に増設したときには、中継インターホン親機がカメラ子器からの呼出を検出してから応答するまでの間は、中継インターホン親機のカメラ給電切替手段が、カメラ子器をインターホン親機に切替接続するので、カメラ子器は、インターホン親機から電源を供給されて動作し、更に、中継インターホン親機の映像切替手段が、中継インターホン親機のテレビ回路を映像信号検出分配回路に切替接続するので、中継インターホン親機のモニタテレビは、カメラ子器による映像信号の画像を映し出す（このとき、インターホン親機でもモニタテレビに同じ画像を映し出している）。
【０００８】
一方、中継インターホン親機がカメラ子器からの呼出を検出して応答したときには、中継インターホン親機のカメラ給電切替手段が、カメラ子器を中継インターホン親機のカメラ給電回路に切替接続するので、カメラ子器は、中継インターホン親機から電源を供給されて動作し、更に、中継インターホン親機の映像切替手段が、中継インターホン親機のテレビ回路を中継インターホン親機のカメラ給電回路に切替接続するので、中継インターホン親機のモニタテレビは、カメラ子器による映像信号の画像を映し出す（このとき、インターホン親機では、モニタテレビには映像が映し出されない）。
【０００９】
請求項２では、インターホン親機は、カメラ子器からの呼出に応答したときに、音声／映像ラインに、解放信号を出力させる解放信号送信回路を備え、かつ中継インターホン親機は、音声／映像ラインを通じて解放信号を受信する解放信号受信回路を備え、この解放信号受信回路が解放信号を受信したときには、カメラ給電切替手段の制御接点を、音声／映像ラインのインターホン親機側に切り替える構成にしている。
【００１０】
請求項３では、中継インターホン親機の映像信号検出分配回路は、カメラ子器とインターホン親機との間のインピーダンスよりも高いインピーダンスを有したインピーダンス素子を、モニタテレビに対して並列に接続した構成にしている。更に、請求項４では、映像信号検出分配回路は、インピーダンス素子の入力側に不平衡回路を接続している。また、請求項５では、映像信号検出分配回路は、音声／映像ライン側にダイオードブリッジを接続している。
【００１１】
すなわち、カメラ子器とインターホン親機を接続する通話／映像ラインの途中に、中継インターホン親機を介在させ、この中継インターホン親機には、カメラ子器とインターホン親機間のインピーダンスよりも十分に高いインピーダンス素子で構成された映像分配回路を介在させてモニタテレビに接続する。
また、ダイオードブリッジを介して、インピーダンスの高い負荷抵抗に入力しているので、無極性化が図れる、更に、不平衡回路を介して、インピーダンスの高い負荷抵抗に入力しているので、片方のラインにノイズが乗ってもキャンセルができ、ノイズ特性が改善される。
【００１２】
請求項６では、インターホン親機の解放信号送信回路は、所定の周波数のバースト信号を送出する構成にしている。
請求項７では、インターホン親機、中継インターホン親機のモニタテレビには、カラー画像が表示される構成にしている。
【００１３】
【発明の実施の形態】
以下に、本発明の実施の形態について、図面とともに説明する。
図１は、テレビインターホンシステムの一例を示すシステム系統図である。このシステムは、玄関先などに設置されたテレビカメラを備えたカメラ子器２と、室内などに設置されたモニタテレビを備えたインターホン親機１（以下、単に「親機」ともいう）とを、２線式の音声／映像ラインＬで接続して構成されたシステムに、中継インターホン親機３（以下、「中継親機」ともいう）を接続して構成される。
【００１４】
中継親機３は、各部を制御するマイコン３０と、モニタテレビを構成するテレビ回路３６と、カメラ給電回路３２と、カメラ給電切替手段３１と、映像信号検出分配回路３４とを備える。
テレビ回路３６は、音声／映像ラインＬの親機１側に接続された映像信号検出分配回路３４と、カメラ給電回路３２とに、映像切替手段３５を介して切替可能に接続されている。また、カメラ給電切替手段３１は、音声／映像ラインＬの途中に介在され、音声／映像ラインＬのカメラ子器２側を、音声／映像ラインＬの親機１側と、カメラ給電回路３２に接続された中継親機３側とに切替制御する構成になっている。
【００１５】
その他、中継親機３には、カメラ子器２からの呼出を検出する呼出検出回路３３と、親機１からの解放信号を受信する解放信号受信回路３７と、通話信号を送受するためのＦＭ変調送話回路３８及びＦＭ変調受信回路３９と、チャイム回路４０と、中継親機３内の各部に電源を供給する電源回路４１とを備える。
中継親機３は、カメラ子器２からの呼出を検出してから応答するまでの間は、テレビ回路３６を、映像切替手段３５によって映像信号検出分配回路３４に接続して、映像信号を受信する一方、カメラ子器２からの呼出を検出した後に応答したときには、カメラ給電切替手段３１によって、音声／映像ラインＬにカメラ給電回路３２を接続し、かつ、映像切替手段３５によってテレビ回路３６をカメラ給電回路３２に接続して映像信号を受信する。
【００１６】
このように、本発明システムでは、高インピーダンス素子で構成される映像信号検出分配回路３４を介在させることによって、親機１から供給されるカメラ電源に重畳されてカメラ子器２から送出されて来る映像信号を、ベースバンドのまま、何らの変調処理をしないで、分配させて、テレビ回路３６によって映像を映し出すことが出来る。
【００１７】
一方、親機１は、各部を制御するマイコン１０と、待機時給電回路１１と、カメラ給電回路１２と、モニタテレビを構成するテレビ回路１３と、カメラ子器２からの呼出を検出する呼出検出回路１４と、通話信号を送受するためのＦＭ変調送話回路１５及びＦＭ変調受信回路１６と、チャイム回路１７と、音声／映像ラインＬに解放信号を出力させる解放信号送信回路１８と、親機１内の各部に電源を供給する電源回路１９とを備える。
【００１８】
親機１では、カメラ子器２からの呼出に対して応答したときに、解放信号送信回路１８によって、解放信号を出力させるので、中継親機３では、解放信号受信回路３７が、音声／映像ラインＬを通じて解放信号を受信すると、カメラ給電切替手段３１の制御接点を、音声／映像ラインＬの親機１側に切り替えるとともに、映像切替手段３５によって、テレビ回路３６を音声／通話ラインＬから切り離す。
【００１９】
以下には、テレビインターホンシステムの動作を順に説明する。まず、待機状態では、親機１の待機時給電回路１１から通話／映像ラインＬに待機時電圧（６Ｖ）を供給する。そして、カメラ子器２において呼出ボタンが操作されると、通話／映像ラインＬの電圧レベルが一時的に低下（６Ｖ→―０．７５Ｖに変化）するので、親機１、中継親機３の双方の呼出検出回路１４，３３で、この状態を検出し、チャイム回路１７，４０によって呼出チャイムを鳴動する。すると、親機１のカメラ給電回路１２からカメラ子器２に対してカメラ電源（１４．５Ｖ）が供給される。
【００２０】
親機１と中継親機３では、双方のテレビ回路１３，３６に、カメラ子器２からの映像信号が送られ、来客の映像が映し出される。このとき、映像信号は、カメラ電源に重畳されており、親機１側では、通話／映像ラインＬ、カメラ給電回路１２を通じてテレビ回路１３に映像信号が送出され、中継親機３側では、通話／映像ラインＬ、映像信号検出分配回路３４を通じてテレビ回路３６に映像信号が送出される。なお、本発明では、カメラ子器２からカラー映像信号が送出され、親機１、中継親機３のテレビ回路１３，３６には、カラー画像が表示される構成にしてもよい。
【００２１】
この状態で親機１が応答したときには、親機１の解放信号送信回路１８から、通話／映像ラインＬに解放信号を送出する。この解放信号は、所定周波数（例えば４０ｋＨｚ）のバースト信号（例えば１００ｍｓｅｃ）で構成されており、このような信号にすれば、親機１の構成が複雑にならず、簡易にできる。
これに対して、中継親機３では、解放信号受信回路３７が解放信号を受信すれば、映像切替手段３５をカメラ給電回路３２側に切り替えて、テレビ回路３６と通話／映像ラインＬとの接続を遮断して、通話／映像ラインＬを親機１のみに明け渡す。このとき、カメラ給電切替手段３１は、親機１側に接続されたままなので、中継親機３のカメラ給電回路３２が作動することはない。
【００２２】
この結果、親機１とカメラ子器２のみが通話／映像ラインＬを通じて通話可能となる。このとき、親機１とカメラ子器２との間には、映像信号（ベースバンド）に、ＦＭ変調された音声信号が重畳された多重信号が送受され、親機１では、映像を見ながらカメラ子器２との双方向の通話が可能となる。
一方、カメラ子器２の呼出に対して、中継親機３が応答すれば、カメラ給電切替手段３１を切り替えて、親機１とカメラ子器２との接続を遮断する。つまり、親機１を通話／映像ラインＬから切り離す。すると、親機１からカメラ子器２へのカメラ電源の供給は遮断され、代わりに中継親機３のカメラ給電回路３２からカメラ電源（１４．５Ｖ）が供給される。また、映像切替手段３５によって、カメラ給電回路３２にテレビ回路３６が接続される。
【００２３】
これによって、中継親機３とカメラ子器２とは通話可能となる。このとき、中継親機３とカメラ子器２との間には、映像信号（ベースバンド）に、ＦＭ変調された音声信号が重畳された多重信号が送受され、中継親機３では、映像を見ながらカメラ子器２との双方向の通話が可能となる。
次に、図２に、本発明の要部のみを示した系統図を示す。ここには、中継親機３の映像信号検出分配回路３４の構成を中心に示している。
【００２４】
映像信号検出分配回路３４は、カメラ子器２と親機１との間のインピーダンスよりも高いインピーダンスを有したインピーダンス素子として、負荷抵抗３４ｃをテレビ回路３６に対して並列に接続した構成にしている。負荷抵抗３４ｃには、微小なＤＣ電流を流すようになっており、これによって、映像信号を増幅や変調させることなく、ベースバンドのままで分配させて受信することが出来る。
【００２５】
また、映像信号検出分配回路３４は、負荷抵抗３４ｃの入力側に、不平衡回路である不平衡用バラン３４ｂを接続している。これによって、ノイズの影響が受けにくくなる。更に、映像信号検出分配回路３４は、音声／映像ラインＬ側にダイオードブリッジ３４ａを接続している。これによって、配線の極性を意識する必要がなくなる。
【００２６】
なお、この図には、カメラ給電切替手段３１も示されており、待機時や親機１が応答して、親機１からカメラ子器２に給電がされているときには、ａ側に切り替えを維持する一方、中継親機３が応答したときには、ｂ側に切り替えられ、カメラ給電回路３２からカメラ子器２に給電がされる。また、このとき同時に、映像切替手段３５も切り替えられ、テレビ回路３６の接続は、映像信号検出分配回路３４からカメラ給電回路３２に切り替わる。
【００２７】
以上のことから、本発明のテレビインターホンシステムによれば、従来の親機１と子器２とで構成されるシステムに比べて、中継親機３の増設が可能となるとともに、無極性化、カメラ呼出、再呼検出、電源（環境）、異種位相、配線長などへの対応が可能になる。
次に、図３は、本発明の基本動作を説明するタイムチャートである。図３（ａ）は、待機状態においてカメラ子器２から呼び出しがあった場合を示しており、待機時の電圧Ｖ０が降下することによって、親機１と中継親機３では、呼出を検出できる。図３（ｂ）は、呼出後にカメラ子器２から送信されるベースバンド映像信号を示している。なお、図中の矢印は同期信号を示している。図３（ｃ）は、その後、親機１または中継親機３で応答して、カメラ子器２と通話している状態を示している。このとき、ベースバンド映像信号には、ＦＭ変調された音声信号が重畳されて、相互通話を実現している。
【００２８】
図４は、本発明の基本動作を説明する図である。図４（ａ）は、カメラ子器２から呼出があった状態を示しており、カメラ子器２において呼出ボタンを操作すると、親機１と中継親機３の各々は、カメラ子器２が撮影した映像を映し出すとともに、チャイム音を出力する。また、親機１からカメラ子器２には、チャイム音がバックトーンとして送出されている。
【００２９】
図４（ｂ）は、（ａ）に示した状態から、親機１が通話ボタンを操作するなどで応答した状態を示しており、親機１ではカメラ子器２側の映像を見ながらの双方向通話を可能にしている。このとき、中継親機３では、不要な子器２側の映像は消えており、通話することもできないようになる。
図４（ｃ）は、（ａ）に示した状態から、中継親機３が通話ボタンを操作するなどで応答した状態を示しており、中継親機１では子器２側の映像を見ながらの双方向通話を可能にしている。このとき、親機１では、不要な子器２側の映像は消えており、通話することもできないようになる。
【００３０】
【発明の効果】
以上の説明からも理解できるように、本発明の請求項１〜請求項７に記載のテレビインターホンシステムによれば、カメラ子器とインターホン親機との間に、簡易な構成で、中継インターホン親機を増設することができる。
すなわち、請求項１では、中継インターホン親機がカメラ子器からの呼出を検出してから応答するまでの間は、中継インターホン親機のカメラ給電切替手段が、カメラ子器をインターホン親機に切替接続するので、カメラ子器は、インターホン親機から電源を供給されて動作し、更に、中継インターホン親機の映像切替手段が、中継インターホン親機のテレビ回路を映像信号検出分配回路に切替接続するので、中継インターホン親機のモニタテレビは、カメラ子器の映像信号の画像を映し出すことができる（このとき、インターホン親機でもモニタテレビに同じ画像を映し出している）。
一方、中継インターホン親機がカメラ子器からの呼出を検出して応答したときには、中継インターホン親機のカメラ給電切替手段がカメラ子器を中継インターホン親機のカメラ給電回路に切替接続するので、カメラ子器は、中継インターホン親機から電源を供給されて動作し、更に、中継インターホン親機の映像切替手段が、中継インターホン親機のテレビ回路を中継インターホン親機のカメラ給電回路に切替接続するので、中継インターホン親機のモニタテレビは、カメラ子器の映像信号の画像を映し出すことができる（このとき、インターホン親機では、モニタテレビには映像が映し出されない）。
【００３１】
請求項２では、インターホン親機は、カメラ子器からの呼出に応答したときに、音声／映像ラインに解放信号を出力する一方、中継インターホン親機は、音声／映像ラインを通じて解放信号を受信すれば、カメラ給電切替手段の制御接点を、のインターホン親機側にするので、簡易な構成で、インターホン親機が応答したときに、中継親機はラインを解放し、モニタテレビに映し出した映像を消去することが出来る。
【００３２】
請求項３では、中継インターホン親機の映像信号検出分配回路は、カメラ子器とインターホン親機との間のインピーダンスよりも高いインピーダンスを有したインピーダンス素子を、モニタテレビに対して並列に接続しているので、カメラ電源に重畳されてカメラ子器から送出されて来る映像信号を、ベースバンドのまま、何らの変調処理などをしないで、分配させて、モニタテレビに映像を映し出すことが出来る。
【００３３】
請求項４では、映像信号検出分配回路は、インピーダンス素子の入力側に不平衡回路を接続しているので、ノイズを軽減することができ、ノイズの影響が受けにくくなる。
請求項５では、映像信号検出分配回路は、音声／映像ライン側にダイオードブリッジを接続しているので、無極性化が図れ、施工時に配線の極性を意識する必要がない。
【００３４】
請求項６では、インターホン親機は、解放信号として、所定の周波数のバースト信号を送出するので、簡単な構成で、インターホン親機における応答を、中継インターホン親機に通知することが出来る。
請求項７では、インターホン親機、中継インターホン親機のモニタテレビには、カラー画像が表示されるので、カメラ子器側の映像が認識しやすくなり、商品価値が高くなる。
【図面の簡単な説明】
【図１】本発明のテレビインターホンシステムの一例を示すシステム系統図である。
【図２】本発明の要部のみを示した系統図である、
【図３】本発明の基本動作を説明するタイムチャートである。
【図４】本発明の基本動作を説明する図である。
【符号の説明】
１      インターホン親機
１１    待機時給電回路
１２    カメラ給電回路
１３    テレビ回路
１８    解放信号送信回路
２      カメラ子器
３      中継インターホン親機
３１    カメラ給電切替手段
３２    カメラ給電回路
３４    映像信号検出分配回路
３４ａ  ダイオードプリッジ
３４ｂ  不平衡用バラン
３４ｃ  負荷抵抗
３５    映像切替手段
３６    テレビ回路
３７    解放信号受信回路
Ｌ      音声／映像ライン
【図１】
0003654070.tif 000002
【図２】
0003654070.tif 000003
【図３】
0003654070.tif 000004
【図４】
0003654070.tif 000005